(57)【要約】  ２つの前部固着面（Ａｌ、Ａ２）を有する磁気モジュール（１０）は、磁束の反転によって磁気的に作動化可能かつ不作動化可能であり、モジュール（１０）は、第１（１６）および第２（１７）の固定磁心を備え、各々は、それぞれの前部固着面（Ａｌ、Ａ２）を画定する複数の極性要素（２６）と、後面（Ｂｌ、Ｂ２）とを備えるとともに、隣接する極性要素（２６）間に配置される第１の複数の永久磁石（２９）を備え、永久磁石（２９）の極性（Ｎ、Ｓ）は、単一極性要素（２６）の横方向面と接触し、各固定磁心に、交互に逆極性の誘導極性の極性を生成する。磁束の反転のための可動磁気ユニット（１８）が、２つの固定磁性体コア（１６、１７）の間に配置され、２つの固定磁性体コア（１６、１７）の後面（Ｂ１、Ｂ２）に対向する逆極性の極（Ｎ、Ｓ）を代替的に有する第２の複数の永久磁石（３０）を備えて構成され；可動磁気ユニット（１８）は、磁束の反転のための第１および第２の作動位置の間を移動することができ、固着モジュール（１０）の前面（Ａｌ、Ａ２）の一方または両方を磁気的に作動化および不作動化する。【選択図】図５
2021528129.tif 000002
【特許請求の範囲】
【請求項１】
アセンブリの一部を構成する強磁性ピース（１３、１４）を解放可能に固定するのに適した磁気モジュール（１０）であって、前記磁気モジュール（１０）は、
各固定磁性体コア（１６、１７）が、前部固着面（Ａｌ、Ａ２）を画定する複数の極性要素（２６）と、前面から軸方向に離間された後面と、隣接する極性要素（２６）の間に配置される複数の極性永久磁石（２９）とを含む、第１および第２の固定磁性体コア（１６、１７）とを備え、各固定磁気コア（１６、１７）の前部固着面（Ａ）は、同一の複数の永久磁極（３０）、あるいは反対の極性（Ｎ、Ｓ）で構成された可動磁気ユニット（１８）によって、反対の極性（Ｎ、Ｓ）の複数の誘起極性要素で磁気的に活性化可能であり、
第１および第２の固定磁性体コア（１６、１７）の対向する裏面（Ｂ１、Ｂ２）の間に直接配置され、それぞれの固定磁性体コア（１６、１７）の裏面（Ｂ１、Ｂ２）に対向する各側面（Ｃ１、Ｃ２）上に構成された可動磁気ユニット（１８）であって、複数の永久磁極（３０）を備え、あるいは、固定磁性体コア（１６、１７）の複数の誘起極性要素（２６）に対応する反対極性を有することを特徴とし、
可動磁気ユニット（１８）は、可動磁気ユニット（１８）の各極性（Ｎ、Ｓ）の各永久磁極（３０）が、可動磁気ユニット（１８）の対応する永久磁極（３０）と同じ極性（Ｎ、Ｓ）を有する固定磁性体コア（１６、１７）の誘起極性要素（２６）に対応して整列される磁気モジュール（１０）を作動させるための、第１の作動位置と、可動磁気ユニット（１８）の各極性（Ｎ、Ｓ）の各永久磁極（３０）が、反対の極性で誘導される固定磁性体コア（１６、１７）の対応する誘起極性要素（２６）に整列される磁気モジュール（１０）を非作動させるための第２の作動位置との間で移動するように支持されることを含む磁気モジュール。
【請求項２】
磁気モジュール（１０）であって、前記可動磁気ユニット（１８）の各永久磁極（３０）は、前記第１の作動位置において、固定磁性体コア（１６、１７）の対応する誘起極性要素（２６）に完全にまたは部分的に整列可能である請求項１に記載の磁気モジュール。
【請求項３】
磁気モジュール（１０）であって、各固定磁性体コア（１６、１７）は、複数の誘起極性要素（２６）と、複数の永久磁石（２９）とを備え、各誘起極性要素（２６）の両側が、極性要素（２６）に面する同じ極性（Ｎ、Ｓ）を有する永久磁石（２９）の極と接触している請求項１または２に記載の磁気モジュール。
【請求項４】
磁気モジュール（１０）であって、前記可動磁気ユニット（１８）の前記第１の作動位置において、前記可動磁気ユニット（１８）の前記永久磁極（３０）によって生成された磁束は、前記固定磁性体コア（１６、１７）の前記永久磁石（２９）の磁束に加算される請求項３に記載の磁気モジュール。
【請求項５】
磁気モジュール（１０）であって、別々にまたは互いに組み合わせて駆動する前記可動磁気ユニット（１８）は、前記固定磁性体コア（１６、１７）に対して、第１の作動位置と第２の作動位置との間で、回転可能に支持された回転子ユニットの形状である請求項１〜４のいずれか１項に記載の磁気モジュール。
【請求項６】
磁気モジュール（１０）であって、別々にまたは互いに組み合わせて駆動する前記可動磁気ユニット（１８）は、前記固定磁性体コア（１６、１７）の軸方向において、第１の作動位置と第２の作動位置との間で、摺動可能なユニットの形状である請求項１〜４のいずれか１項に記載の磁気モジュール。
【請求項７】
磁気モジュール（１０）であって、前記可動磁気ユニット（１８）を前記第１および前記第２の作動位置で停止させるための停止部材（３１’、３５、３６）を備える請求項５または６に記載の磁気モジュール。
【請求項８】
磁気モジュール（１０）であって、前記回転子ユニットが、それぞれの固定磁性体コア（１６、１７）の後面（Ｂ１、Ｂ２）にそれぞれ対向する側面（Ｃ１、Ｃ２）を有する単一の回転子（１８）と、それぞれの側面に、固定磁性体コア（１６、１７）のそれぞれの後面（Ｂ１、Ｂ２）に対向する反対の極性（Ｎ、Ｓ）の磁極を交互に有する複数の永久磁石（３０）とからなる請求項５に記載の磁気モジュール。
【請求項９】
磁気モジュール（１０）であって、前記回転子ユニットは、それぞれが固定磁性体コア（１６、１７）のそれぞれの後面（Ｂ１、Ｂ２）に対向する反対の極性の磁極（Ｎ、Ｓ）を交互に有する複数の永久磁石（３０）で構成された第１および第２の回転子（１８Ａ、１８Ｂ）からなり、少なくとも１つの磁気ヨーク（４１；４１Ａ、４１Ｂ）が２つの回転子（１８Ａ、１８Ｂ）の間に配置される請求項５に記載の磁気モジュール。
【請求項１０】
磁気モジュール（１０）であって、前記回転子（１８Ａ、１８Ｂ）の一方または両方が、前記回転子（１８Ａ、１８Ｂ）の他方に面する側に、磁束を循環させるためのそれぞれの磁気ヨーク（４１Ａ、４１Ｂ）を備える請求項９に記載の磁気モジュール。
【請求項１１】
磁気モジュール（１０）であって、前記磁気ヨーク（４１）は、前記２つの回転子（１８Ａ、１８Ｂ）の間に固定支持されて配置されている請求項９に記載の磁気モジュール。
【請求項１２】
磁気モジュール（１０）であって、前記回転子（１８）は、制御工具と係合可能な成形孔（２２）を備え、前記成形孔（２２）は、前記固定磁性体コア（１６、１７）の一方または両方の孔（２１）に軸方向に整列されている請求項８に記載の磁気モジュール。
【請求項１３】
磁気モジュール（１０）であって、前記回転子（１８Ａ、１８Ｂ）の一方には、他方の回転子（１８Ａ、１８Ｂ）の成形制御孔（２２Ｂ）とは異なる形状の成形制御孔（２２Ａ）が設けられていることを特徴とする請求項９に記載の磁気モジュール。
【請求項１４】
磁気モジュール（１０）であって、前記回転子（１８Ａ、１８Ｂ）は、前記モジュール（１０）を作動化および非作動化させるために、第１の角度位置と第２の角度位置との間で、一緒にまたは別々に駆動可能である請求項１３に記載の磁気モジュール。
【請求項１５】
磁気モジュール（１０）であって、前記固定磁性体コア（１６、１７）の誘起極性要素（２６）と前記可動磁気ユニット（１８）の永久磁石（３０）とは、三角形または扇形の形状である請求項１に記載の磁気モジュール（１０）。
【請求項１６】
磁気モジュール（１０）であって、前記回転子（１８）または各回転子（１８Ａ、１８Ｂ）が、別々に、または請求項１２または請求項１３と組み合わせて、周辺制御リングナット（４２；４２Ａ，４２Ｂ）に動作可能に接続されている請求項８または９に記載の磁気モジュール。
【請求項１７】
磁性モジュール（１０）であって、固定磁性体コア（１６、１７）の各誘起極性要素（２６）が、第１および第２の偏極性磁石（２９）にそれぞれ磁気的に接触し、第３の周辺分極磁石（４５）を有し、誘起極性要素（２６）の外縁に沿って、前述の第１および第２の横方向磁石と周辺磁石が、同一の極性（Ｎ、Ｓ）を有する極性要素（２６）と接触する請求項１に記載の磁気モジュール。
【請求項１８】
磁気モジュール（１０）であって、前記回転子ユニットは、互いに軸方向に離間した第１および第２の回転子（１８Ａ、１８Ｂ）からなり、各々は、固定磁性体コア（１６、１７）のそれぞれの後面（Ｂ１、Ｂ２）に対向する反対の極性の磁極（Ｎ、Ｓ）を有する複数の永久磁石（３０）を備え、各回転子（１８Ａ、１８Ｂ）は、一方または両方の固定磁性体コア（１６、１７）の孔（２１）に軸方向に整列した異なる形状の孔（２２Ａ、２２Ｂ）を備えてなる請求項５に記載の磁気モジュール。
【請求項１９】
磁気モジュール（１０）であって、前記可動磁気ユニット（１８；１８Ａ，１８Ｂ）の各永久磁石（３０）が発生する総磁束は、前記第１および第２固定磁性体コア（１６，１７）の各極性要素（２６）の永久分極磁石（２９）が発生する総磁束に相当することを特徴とする請求項１〜１８のいずれかに記載の磁気モジュール。
【請求項２０】
磁気モジュール（１０）であって、
外側管状ケーシング（２５）と、
互いに軸方向に離間して配置され、外側ケーシング（２５）の両端に位置決めされた、円形または多角形の第１および第２の固定磁性体コア（１６、１７）と、および
第１および第２の固定磁性体コア（１６、１７）の間の中間位置にある、少なくとも１つのディスク状回転子要素（１８；１８Ａ、１８Ｂ）とを含む可動磁気ユニットと、
中央成形孔（２２；２２Ａ、２２Ｂ）の少なくとも１つによって構成され、回転子要素（１８；１８Ａ、１８Ｂ）の中央成形孔（２２；２２Ａ、２２Ｂ）が第１および／または第２の固定磁性体コア（１６、１７）の中央孔（２１）に軸方向に整列されている、制御部材（２３）によって係合されるのに適している回転子要素（１８；１８Ａ、１８Ｂ）を含む請求項１に記載の磁気モジュール。
【発明の詳細な説明】
【技術分野】
【０００１】
本発明は、固定モジュール内部の磁束の反転によって磁気的に作動化および不作動化することができる２つの対向する固定面を有する、アセンブリの強磁性ワークピースを固定するための磁気モジュールに関する。
【背景技術】
【０００２】
別個の強磁性ワークピースを接続することができる、またはアセンブリの一部を構成することができる磁気モジュールは、磁性玩具の分野において、または他の用途のために広く知られている。前述のタイプの磁気モジュールは、例えば、特許文献１および特許文献２から知られており、特に、特許文献２は、手作業で組み立て、分解することができる磁気モジュールと強磁性モジュールの組み合わせからなるアセンブリを記載しており、磁気モジュールは、各端部に永久磁石を有する棒状要素と、２つの磁石によって生成された磁束を短絡するように適合された中間金属プラグとからなり、それによって、アセンブリを構築する一方、閉磁路に沿った単一モジュールの起磁力の総和が得られるようになっている。
【０００３】
玩具アセンブリのための類似の磁気モジュールが、比較的高い固定力と、アセンブリの磁力と重量との間の良好な関係とを得ることを可能にしたとしても、例えば特許文献１に記載されているタイプに類似の磁気モジュールと比較すると、それらは永久的に磁化されているので、玩具の一部または全体を分解するために固定磁力に対抗することが必要である。
【０００４】
高い固定磁力を提供することができる磁気モジュールの使用を必要とする用途に関して、それらを手動で組み立てまたは分解することを不可能ではないにしても困難にし、本願の発明により近い技術の特許文献３では、中間管状要素によって接合された、構造的にも機能的にも独立した２つの固定用磁気ヘッドを備えた磁気モジュールが開示されており、各固定用磁気ヘッドは、容易に手動で作動させることができる極反転システムによって、固定用磁気力を作動化および非作動化にするように構成された多極固定子および回転子を備えている。
【０００５】
しかしながら、特許文献３による磁気モジュールは、大型で構造的に複雑であることは別として、２つの磁気ヘッドを結合して、または選択的に閉じたアセンブリにおいて、外部から作動させることを必要とする用途には完全に不適当であり、さらに、類似の磁気モジュールを異なる種類のアセンブリに関連付けることはより困難である。
【先行技術文献】
【特許文献】
【０００６】
【特許文献１】独国特許第３９１０３０４号明細書
【特許文献２】欧州特許第１０８０４７６号明細書
【特許文献３】欧州特許第１３９９９３３号明細書
【発明の概要】
【発明が解決しようとする課題】
【０００７】
本発明の主な目的は、二重係留面を有する磁気モジュールを提供することであり、これは、特許文献３による磁気モジュールのある種の構造的特性を有利に採用し、二つの対向するアセンブリの間の閉じた空間に配置することができ、同時に閉じた空間の外側から、または磁気モジュールが配置される２つのアセンブリのうちの少なくとも１つの側面から作用する磁気的に作動化および非作動化することができる。
【０００８】
本発明のさらなる目的は、単純な構造を特徴とし、結果として製造コストを低減し、任意の用途分野において任意のタイプのアセンブリと組み合わせて使用するのに適した、前述のタイプの固定用磁気モジュールを提供することである。
【０００９】
本発明のさらなる目的は、モジュールの作動化状態における磁束の総和を提供するのに適しているだけでなく、任意に配向および構成された２つの固定磁気面を有するモジュールを提供し、その結果、比較的高い固定磁気力を提供することである。
【００１０】
本発明の別の目的は、全体の表面積に対して、各固定面の活性磁気領域の高い割合を有する固定磁気モジュールを提供することである。
【課題を解決するための手段】
【００１１】
上記は、請求項１の一般的な特徴を有する固定磁気モジュールによって得ることができる。
【００１２】
一般に、本発明によれば、磁気モジュールは、アセンブリの一部を構成する強磁性ワークピースを係脱可能に固定するのに好適に設けられており、前記磁気モジュールは、
各固定磁心が、前部固着面を画定する複数の極性要素と、前記前面から軸方向に離間する後面と、隣接する極性要素の間に配置される複数の極性永久磁石とを備え、前記各固定磁心の前記前部固着面が、同一の複数の永久磁極（３０）あるいは反対の極性で構成された可動磁気ユニットによって、互いに逆極性の複数の誘起磁極で磁気的に作動化可能である第１および第２の固定磁気コアとを含み：
第１および第２の固定磁気コアの対向する後面の間に直接配置され、それぞれの固定磁気コアの後面に面する各側に構成され、固定磁気コアの複数の誘導極性素子に対応する、交互に逆極性の複数の永久磁極を有する可動磁気ユニットと；
前記可動磁気ユニットは、前記可動磁気ユニットの各極性の各永久磁極が、前記可動磁気ユニットの対応する永久磁極と同じ極性を有する前記固定磁気コアの対応する誘導極性素子に整列される、前記磁気モジュールを作動させるための第１の作動位置と、前記可動磁気ユニットの各極性の各永久磁極が、反対の極性で誘導される、前記固定磁気コアの対応する極性素子に整列される、前記磁気モジュールを作動停止させるための第２の作動位置との間で移動するように支持されることを含む。
【００１３】
本発明による固定用磁気モジュールのこれらおよび他の特徴、ならびにいくつかの好ましい実施形態は、添付の図面を参照した以下の説明からより明らかになるであろう。
【図面の簡単な説明】
【００１４】
【図１】中間磁気モジュールによって接続された２つの一般的なアセンブリを概略的に示す。
【図２】６極磁気モジュールの第１の実施形態の斜視図である。
【図３】図２の磁気モジュールを作動および非作動させるのに適した工具の斜視図である。
【図４】図２のモジュールの線４−４による断面図である。
【図５】図４の線５−５による断面図である。
【図６】図４のモジュールの磁気コアの斜視図である。
【図７】磁気モジュールの第２の実施形態に対する図５と同様の断面図である。
【図８】図７のモジュールの磁気コアの斜視図である。
【図９】第３の実施形態に対する、図４と同様の断面図である。
【図１０】第４の実施形態について、図７と同様の断面図である。
【図１１】図４および図９のモジュールの磁気回路の一部を非作動状態で概略的に示す。
【図１２】作動状態にある図４および図９のモジュールの磁気回路の一部を概略的に示す。
【図１３】非作動状態にある、図７および図１０のモジュールの磁気回路の一部を概略的に示す。
【図１４】図７および図１０のモジュールの磁気回路の一部を活性状態な面で概略的に示す。
【図１５】図７および図１０のモジュールの磁気回路の一部を全活性状態で概略的に示す。
【図１６】図２と同様、磁気モジュールの第５の実施形態の斜視図である。
【図１７】図１６のモジュールの磁気コアの斜視図である。
【図１８】図１６のモジュールの線１８−１８による断面図である。
【図１９】第６の実施形態の図１８の断面図と同様の断面図である。
【発明を実施するための形態】
【００１５】
図１〜図６、ならびに図１１および図１２を参照して、本発明による磁気モジュールの第１の実施形態およびその機能を説明する。図１は、本発明による磁気モジュール１０を使用して、プラスチック、木材、または他の磁気的に非伝導性の材料で作られた２つのパネル１１、１２、または、より一般的には、いずれにせよ構成された２つのアセンブリを固定し、各パネルまたはアセンブリ１１、１２は、それぞれのパネル１１、１２に任意の適切な方法で固定された、磁気的に伝導性の金属部品、たとえば鉄材料の板１３、１４、または、たとえば、接着された、ねじによって固定された、または、他の方法で固定された他のアセンブリ部品を備える。
【００１６】
図１の例では、２つのプレート１３、１４、または２つのアセンブリの他の金属構成要素は、対応する座部に収容され、２つのアセンブリの金属プレートまたは金属構成要素は、異なる構成および配置にすることができる。
【００１７】
図１は、常に例示の目的のために、本発明による磁気モジュールの典型的な使用状態を示し、図示のように、磁気モジュール１０は、２つのパネル１１、１２の間に存在する閉鎖空間１５、または他のタイプのアセンブリに配置され、組み立てられた状態では、モジュール１０は、２つのパネル１１、１２、またはアセンブリのうちの少なくとも１つの孔を通して外部からのみアクセス可能になる。そこで、図１に示すように、また、図２〜図６の例を参照してより詳細に説明するように、磁気モジュール１０は、
金属板１３または第１のアセンブリの他の金属要素に磁気的に固定された第１の固定磁気コア１６と、
金属板１４に磁気的に固定された第２の固定磁気コア１７と第２のアセンブリの他の金属要素と、
第３磁気コア１８を備えると同様に、または、より一般的に、２つの固定磁性体コア１６，１７の中間位置に可動磁気ユニットを備える。
【００１８】
図６に示されるように、２つの固定磁性体コア１６、１７および可動コアまたは磁気ユニット１８は、モジュール１０の内部の磁束を逆転させるのに適した永久磁石のシステムを構成および提供され、２つの固定コア１６および１７を、中間コア１８の適当な角度運動、または磁気モジュール１０が非作動状態にある第１の２つの作動位置の間で、２つのパネル１１、１２の間に容易に配置されるように、または中間コアまたは可動磁気ユニット１８の第２の作動状態において、モジュール１０が磁気的に作動され、磁気的に固定され、２つのパネル１１、１２または同等のアセンブリの金属プレート１３、１４に固定されるように、機能的に同等な２つの作動位置の間で、同時に作動および非作動させる。
【００１９】
検討中の例では、図２〜図６に示すように、磁気モジュール１０は可動磁気コア１８と共に模式的に表され、２つの固定磁性体コア１６，１７の間に角度回転可能に支持されている。したがって、図１に示すように、パネル１１、１２の一方または両方、および金属板１３、１４の一方または両方、または同等のアセンブリは、可動磁気コア１８または同等の磁気ユニットの成形孔２２にそれぞれ固定磁性体コア１６、１７の一方または両方の対応する孔２１に軸方向に整列した孔１９、２０を有する。工具端部や他の制御装置２３を外部から導入すると、例えば図３に示す種類の、整列した孔１９，２０，２１，２２を介して、磁気モジュール１０の２つの作動位置と非作動位置との間を角度回転するように可動磁気コア１８を機械的に係合させることができ、常に外部から作用する。これにより、モジュール１０を作動および非作動することによって、２つのパネル１１、１２または同等のアセンブリを容易に組み立て、分解することができ、その後、同一のパネルおよび同一の磁気モジュールを再利用する可能性がある。手動制御ツールまたは装置２３の代わりに、電気機械制御システムを使用することが可能である。
【００２０】
図２〜６の例では、対向する２つの固定面を有する円筒形または円形の６極磁気モジュールが示されているが、磁気モジュール１０の特定の形状、その部品、およびモジュールの２つの前面の磁極の数も、図示のものに対して変化し、異なるように構成することができる。
【００２１】
特に、図２〜図６の磁気モジュールは、円形または多角形の形状を有する任意のタイプの非磁気伝導性材料で作られた管状本体からなる外側ケーシング２５を備える。管状本体２５の内側には、第一の第二の固定磁気コア１６および１７が収容され、それらの間に対向し、軸方向に離間した位置で管状本体２５に固定されている。２つの固定磁気コア１６および１７の間には、可動磁気コア１８が収容され、これに作用して、先に言及したように、固定モジュール１０を磁気的に作動化および非作動化することが可能である。
【００２２】
考察中の例では、固定磁性体コア１６および１７（以下、より単に「固定子」と呼ぶ）は、両方とも、所定の直径を有するように構成されたディスク形状であり、可動磁気コア１７（以下、「回転子」とも呼ぶ）は、２つの固定子１６および１７の間の中間にあり、２つの固定子１６および１７の実質的に同じ直径を有するか、またはわずかに小さいタムディスク形状である。
【００２３】
２つの固定子１６，１７は、機械的にも磁気的にも同一構成であり、固定子１６が前方の固着面Ａｌを有し、磁気的にも不作動化可能であり、モジュール１０の面に対向し、他方の固定子１７は、前方の固着面Ａ２を有し、前方の固着面Ａ２とは反対側のモジュールの他方の面に対向し、磁気的にも不作動化可能であり、不作動化可能である。
【００２４】
特に、図６に示されるように、各固定子１６、１７の固定磁性コアは、図示されるケースにおいて、複数の極性要素２６、例えば三角形の６つを備えて構成され、各極性要素２６は、扇形と同様の実質的に三角形の形状を有し、その形状は、中央部２７から外縁２６’に向かって半径方向に延び、隣接する極性の間に角度を隔てた配置を提供する。従って、各固定子１６、１７の隣接する極性要素２６間には、２つの隣接する極性要素２６の平面側面によって区切られた対応する数の半径方向孔２８が形成される。
【００２５】
各半径方向孔２８は、例えば矩形形状または異なる形状の、対応する永久磁石２９のためのハウジングシートを画定し、そのうちの１つは２９’によって示され、それぞれのハウジング孔２８から抽出された状態で示される。
【００２６】
各固定子１６、１７の極性要素２６は、検討中の例では、モジュール１０のそれぞれの外面に対向する平坦形状の前部固着面Ａｌ、Ａ２をそれぞれ画定し、モジュール１０の内側、すなわち中央回転子１８に対向する平坦形状の後面Ｂ１、Ｂ２を画定する。
【００２７】
両方の固定子１６および１７の極性要素２６は、図示のように、交互に対向する極性Ｎ、Ｓを有する第１の複数の永久極性磁石２９によって磁気的に誘起された極を形成する。固定子１６、１７の極性要素２６の分極Ｎ、Ｓは、他の固定子１７の極性要素２６の分極ピッチＰのそれに対して、ずれている。
【００２８】
図２〜図６の例を常に参照し、後続の図１１および図１２に明確に示されるように、各固定子１６、１７の複数の極性要素２６は、各極性ＮおよびＳの各極性要素２６の両側面が、それぞれの横方向永久磁石２９の対応する極性ＮおよびＳの極に接触するように、対応する複数の永久極性磁石２９によって極性Ｎ、Ｓと共に磁気的に誘導される。換言すれば、固定子１６、１７の各誘起極性要素２６は、対応する半径方向孔２８内に挿入された２つの横方向磁石２９の同名の磁極ＮまたはＳと磁気的に接触する平坦な横方向面を有する。
【００２９】
常に図２〜６の例を参照すると、固定磁気モジュール１０の２つの固定磁気コアを構成する２つの固定子１６および１７と同様に、可動ユニットまたは磁気コア１８も、第１のものを有するディスク形状の回転子からなる。固定子１６の後方平坦面Ｂ１に対向する平坦極面Ｃ１と、他方の固定子１７の後方平坦面Ｂ２に対向する第２平坦極面Ｃ２とを有する。回転子１８の２つの極面Ｃ１およびＣ２は、両方とも、第２の複数の永久磁石３０によって、反対極性の磁極Ｎ、Ｓと交互に分極され、２つの極面Ｃ１、Ｃ２のうちの１つ上の各磁石３０の各磁極Ｎ、Ｓが、図１１および図１２に示すように、他の極面上の同じ磁石３０の前の１つと反対の極性Ｓ、Ｎの磁極に対応することを確実にし、いかなる場合においても、回転子１８の極数は、２つの固定子１６、１７のそれぞれの誘起磁極の数に対応しなければならない。
【００３０】
具体的な場合には、上記は、中心部３２から放射状に突出する多数のアーム３１を備え、その間に２つの固定子１６，１７の各々の誘導磁極２６の数に対応する多数の永久磁石３０が固定された、磁気的に非導電性の材料からなる星形構造で回転子１８を構成することによって得られる。
【００３１】
回転子１８は、回転子１８の２つの表面Ｃ１およびＣ２と、２つの固定子１６，１７の後表面Ｂ１、Ｂ２との間の摩擦摺動を回避し、例えば、自己潤滑剤および耐摩耗材料（図示せず）の薄層を介在させて、モジュール１０の長手軸の周りに、２つの回転子の間で何らかの方法で、で角度回転するように支持することができる。
【００３２】
検討中の例では、回転子１８、またはより一般的に可動磁気コアは、極ピッチＰの離間した２つの作動位置の間で制御することができ、そのうちの第１の作動位置では、固定モジュール１０を可動し、すなわち、２つの固定子１６、１７の前面Ａｌ、Ａ２を磁気的に作動化し、一方、第２の作動位置では、固定モジュール１０が、両方の固定子１６、１７の前面Ａ１、Ａ２を磁気的に不作動化することを不可動にする。
【００３３】
例示的な目的のために、回転子１８の制御システムは、異なる多角形形状の端部２３Ａ  ｅ  ２３Ｂを備えて構成され、各々が固定子の１つの軸線方向に整列した孔２１を通して、回転子１８の同一に構成された成形孔２２内で係合および係脱可能である、図３の手動ツールを使用することによって得ることができる。
【００３４】
回転子１８の孔２２の多角形形状に代えて、制御ツール３３の代わりに、回転子１８の同一に構成された孔と機械的に係合するのに適した、異なる構成の料金の使用を提供することができる。
【００３５】
図１１および図１２を参照して以下に説明するように、回転子１８の磁石３０の極ＮおよびＳが固定子１６、１７の極性要素２６の対応する誘起極Ｎ、Ｓに完総に位置合わせされたときに、磁気モジュール１０の総作動および非作動が、２つの特定の作動位置または角度位置で発生する。
【００３６】
したがって、磁気モジュール１０は、図１１および図１２の２つの予め固定された作動位置において、回転子１８を停止させるための適切な停止手段を備え、例えば、図５に示すように、回転子１８のアーム３１の１つは、その端部に、管状ケーシング２５の内面に形成された円弧状の孔３４に沿って摺動可能なピン３１’を有し、孔３４は、その端部の１つに、停止肩部３５を備え、前のものとは反対の端部に停止肩部３６を備え、モジュール１０の完全な非作動化（１００％  ＭＡＧ）がそれぞれ得られる。回転子１８を２つの端部停止位置３５、３６の間の中間位置で停止させることにより、固定リング磁気モジュールの部分磁化が得られ、その結果、固定リング磁力はＤＥＭＡＧから１００％  ＭＡＧに徐々に増大する。
【００３７】
（機能）
図２〜図６の磁気モジュール１０の機能モードは、図１１および図１２の磁気回路の図を参照することによって説明することができ、参照番号および文字は、類似または同等の部分を示すために、前述の図で使用されたものと同じである。
【００３８】
図１１は、接続される２つの強磁性ワークピース１３、１４に向かって、非作動化状態、または完全に外側に消磁された状態（ＤＥＭＡＧ）で接続される２つの強磁性ワークピース１３，１４に向かう磁気モジュールを示し、図１２は、作動化状態で、または完全に外向きに磁化された状態（１００％  ＭＡＧ）で、２つの強磁性ワークピース１３，１４に向かっている同じ磁気モジュール（１０）を示している。
【００３９】
特に、図１１の減磁状態に示されるように、固定子１６および１７の各誘導極性要素２６は、それぞれの横方向磁石２９の極性Ｎ、Ｓ、およびそれぞれの横方向磁石２９の極性と反対の極性Ｓ、Ｎの回転子１８の磁極の両方と接触している。これらの条件において、２つの固定子１６および１７の極性要素２６は、種々の磁石２９、３０によって生成される磁束を短絡させるための磁気ヨークとしてのみ働き、従って、磁束は、固定子１６、１７の各表面Ａｌ、Ａ２の極数と等しい数で複数の内部磁気回路Ｆ１に沿って発達するであろう。したがって、モジュール１０の２つの固定面は、中立または完全に消磁されるであろう。これらの条件下では、モジュール１０は、２つの強磁性ワークピース１３、１４、または同等のアセンブリの間に、それぞれ、極めて容易な方法で取り外されることになる。
【００４０】
対照的に、図１２は、回転子１８の極ピッチＰの角度回転後の、磁気モジュール１０の完全に作動化された状態を示し、ここで、２つの固定子１６、１７の前面Ａ１およびＡ２は、完全に磁化され、回転子１８の固定子１６、１７および磁石３０の磁石２９のフラックスは、固定される磁気片１３および１４を通って、磁気モジュールに対して外部に近接する複数の磁気回路Ｆ２  ｅ、Ｆ３に沿って発達し、これにより、モジュール１０を通ってそれらの間にしっかりと磁気的に固定される。好ましくは、回転子１８の各磁石３０の総磁束は、各極性要素２６の横方向の面に接触する、２つの横方向磁石２９によって生成される磁束と等しくなければならない。
【００４１】
図１２の活性状態は、回転子１８の同一の極ピッチＰに対応する２つの固定子１６、１７の２つの隣接する極性要素２６の軸間の距離に対応する極性ピッチの回転子１８、すなわち同等の可動コアを移動させることによって生じる。
【００４２】
ここでは、２つの固定子１６、１７の各極性要素２６の３つの面が、磁気を各極性要素２６内で同じ極性Ｎ、Ｓの同極性極に接触しているように同じ極性の磁極ＮまたはＳが誘導され、モジュール１０の両対向面が磁気的に活性となり、２つの鉄片１３、１４を固着することが可能となる。
【００４３】
特に、図１２に示すように、２つの固定子の極性要素２６を誘起する各磁石２９によって生成される磁束の一部は、２つの隣接する誘起極性要素２６および中間磁石２９を含む１つの第１の閉回路Ｆ２に沿って進展し、さらに、固定に対する相対的強磁性ワークピース１３、１４と同様に、対照的に、回転子１８の２つの隣接する磁石３０によって生成される磁束の一部は、２つの固定子の２つの隣接する誘起極性要素２６を含む第２の閉回路Ｆ３に沿って進展し、２つの固定子の極性要素２６の誘起磁極に整列した回転子１８の対応する永久磁石３０と、２つの強磁性ワークピース１３および１４を有する。
【００４４】
これにより、２つの強磁性ワークピース１３および１４は、閉磁路Ｆ２およびＦ３の各対の磁束の合計によって生成される磁力によってモジュールに固着されることになる。
【００４５】
図２〜図６には、固定磁気モジュール１０の第１の実施形態が示されており、２つの固定子間に配置された可動磁気ユニットまたは機能的に同等の固定磁気コアが使用され、可動磁気ユニットは、単一の回転子または同等の可動磁気コアで構成されている。
【００４６】
図２〜６の解決策は、構築が容易な機械的および磁気的構造を特徴とすることは別に、従来知られている解決策よりも少数の部品で構成され、かつ低コストで、前述したように、モジュールの両方の磁気面を単一動作で同時に作動化および非作動化することを可能にする。
【００４７】
この解決策では、単一の回転子または同等の可動磁気ユニットが２つの固定子または固定磁気コアの間に配置され、モジュールを両方の反対側の面で同時に作動化および非作動化できることに加えて、固定磁力を徐々に調整できるという点で非常に有利であり、磁力は、ゼロから許容される最大値まで、図１１（完全な非作動化）と図１２（完全な作動化）の中間状態で回転子１８を停止させることができる。
【００４８】
さらに、既に報告されているように、モジュール１０の２つの固定面が作動化されている間に、閉じた磁気回路Ｆ２およびＦ３に沿って全ての磁石の直列に配置された起磁力によって生成される磁束の強度が、２つの強磁性ワークピース１３、１４の固定ゾーンまたは相対的アセンブリに集中して上昇する。
【００４９】
最後に、先に言及した利点に加えて、磁気モジュールは、固定されるべき２つのアセンブリの間に格納式に挿入することができ、例えば、固定されるべきアセンブリのうちの少なくとも１つ、固定子または固定磁気コアのうちの少なくとも１つ、および回転子または可動中間磁気ユニットの、軸方向に整列された特定の孔に挿入可能なツール３０によって、特定の制御システムによって外部から作用して、磁気的に作動化および非作動化する。
【００５０】
モジュール１０を支持し収容する本体２５が、作動ステップおよび非作動ステップの間に固定される２つのアセンブリ内のハウジングシートに対して移動または回転するのを防止するために、磁気モジュール１０のハウジング本体２５を、その回転を防止する形状または適切な手段で構成することが提供され、これは、例えば、作動中のモジュール１０の回転を防止するのに適切な１つまたはそれ以上の孔または突出部分４０（図２）を有する本体２５の外面を構成することによって得ることができる。
【００５１】
図２の例では、円形の形状に加えて、磁気モジュール１０および本体２５は、それらの間に平行な平面上に横たわる固定子の前部固着面Ａ１およびＡ２を有するが、磁気モジュール１０および相対本体２５は、異なる向きの平面上に横たわる、異なるように構成された固着面を備えることができる。例示的な目的のために、モジュール１０の一方または両方の固着面は、固着されるべき一方または両方のアセンブリの同様に構成された結合面に適合するように、半円形、球形または多角形の形状を有することができる。
【００５２】
（他の実施形態）
以下の図は、本発明による磁気モジュールの他の実施形態を示す。
【００５３】
特に、図７および図８は、磁気モジュール１０の第２の実施形態を示し、モジュールを作動および非作動させるための可動磁気ユニットは、２つの固定子１６、１７または同等の固定磁気コアの後面Ｂ１、Ｂ２に向かって反対方向に分極されたそれぞれの磁石を有する、同じように構成された、２つの磁気的に連結された回転子１８Ａおよび１８Ｂ、または同等の可動磁気コアによって構成される。
【００５４】
図７および図８では、類似または同等の部分を示すために、前の図と同じ参照番号が使用されている。
【００５５】
図７、図８は、図１３〜図１５と組み合わせて、前の場合のように、モジュールの２つの面を同時に作動化および非作動化することを可能にし、他の固定面に対して、モジュールの面を選択的かつ独立して作動化および非作動化することを可能にするように構成された磁気モジュールの解決策に関する。
【００５６】
この場合、磁気モジュール１０は、２つの固定子１６、１７、または固定磁気コアの間に配置され、それらと磁気的に連結された回転子ユニット、または可動磁気コアを備えて構成され、この第２の解決策は、可動磁気ユニットが、それらの間に磁気的に連結または連結可能な２つの回転子１８Ａおよび１８Ｂと、２つの固定子１６、１７とを備え、各回転子１８Ａ、１８Ｂは、モジュール１０の１つまたは両方の固定面を磁気的に作動化および非作動化するために、別々にまたは他の回転子と一緒に駆動され得るという点で、前の解決策とは異なる。
【００５７】
図７および図８の例によれば、磁気モジュール１０は、図２〜図６のモジュール１０の磁気固定子１６および１７と全く同じ第２の磁気固定子１７を収容するために、第１の磁気固定子１６を収容するために、再び円形または多角形の管状本体２５を備える。
【００５８】
各固定子１６，１７は、再び複数の極性要素２６から構成され、とともに、半径方向に中央部２７から延びる三角形の形状、または扇形であり、２つの固定子１６、１７の極性要素２６は、固定子の各極性要素２６の対向面に接触する同じ極性ＮまたはＳで構成され配列された第１の複数の永久磁石２９によって、再度、逆極性の極性ＮおよびＳで分極される。
【００５９】
２つの固定子１６、１７のそれぞれの極性要素２６は、図２〜６の例と同様に、再び着磁可能なそれぞれの前面Ａｌ、Ａ２を画定し、モジュールの２つの固定面のうちの１つを構成し、前述のように後面Ｂ１、Ｂ２を構成する。
【００６０】
したがって、図７および図８の磁気モジュール１０は、可動磁気ユニットが今やディスクの形の第１の回転子１８Ａと、前述のものと同軸のディスクの形の第２の回転子１８Ｂとで構成されている点で、図２および図４の磁気モジュール１０とは異なる。
【００６１】
また、可動磁気ユニットは、互いに逆極性のＮとＳとを交互に複数の磁極を備えて構成され、それぞれ固定磁性体コア１６、１７の裏面Ｂ１、Ｂ２に対向する両回転子の側部にある。
【００６２】
特に、各回転子１８Ａ、１８Ｂは、回転子１８Ａおよび１８Ｂの両方の回転軸と一致するモジュール１０の長手方向軸に平行な分極軸を有する、ＮおよびＳ極性で交互に分極された第２の複数の永久磁石３０を備え、この場合も、前の場合と同様に、２つの回転子１８Ａ、１８Ｂの磁石３０の分極軸は、２つの固定子の磁石２９の分極軸に直交している。
【００６３】
前の例と同様に、２つの回転子１８Ａ、１８Ｂの磁石３０および２つの固定子の極性要素２６は、同一の三角形または円形の構成を有し、より一般的には、固定モジュール１０の磁気的挙動を最適化するために、２つの固定子１６、１７の極性要素２６の磁気表面積と等しく、いずれにせよ構成された磁気表面積を有する。
【００６４】
図７および８の例は、さらに、図２〜６の例とは異なり、ここでは、各回転子１８Ａ、１８Ｂの磁石３０が、モジュール１０の一方または両方の固定面の非作動状態において、各回転子の磁石３０によって生成される磁束のための短絡ヨークを表す、磁気伝導性材料中の金属ディスク４１Ａ、４１Ｂの側面に固定されるか、または、図１３〜１５を参照して以下に説明されるように、部分的または全体的に作動された状態において、モジュール１０の磁気回路の一部を構成する。
【００６５】
図７および図８の例では、２つの回転子１８Ａ、１８Ｂの磁気ヨーク４１Ａ、４１Ｂは、モジュールの両面の作動状態でそれらの間に接近し、磁気的に連結され、さらに、ディスクまたはヨーク４１Ａ、４１Ｂは、それぞれの固定子１６、１７の後面Ｂ１、Ｂ２に面する側でそれぞれの磁石３０を支持するために、各回転子の一体部分を構造的に構成する。
【００６６】
それぞれの磁気ヨーク４１Ａ、４１Ｂでそれぞれ構成される２つの回転子の代わりに、他の解決策によって、２つの回転子の同様の機能性および動作的独立性が可能である。第１の代替解決策は、２つの回転子のうちの１つを、同じ回転子の磁石３０を短絡して支持するための磁気ヨークで構成することを提供し、他方の回転子は、図１６の回転子１８として構成することができ、回転子は、磁気ヨークから自由であり、磁石３０は、支持する星形構造のラジアルアーム３１に固定される。この場合、２つの回転子のうちの１つの磁気ヨークのみが、図７および８の２つの回転子１８Ａ、１８Ｂの２つの磁気ヨーク４１Ａ、４１Ｂによって実行されるフラックスを短絡する同じ機能を実行する。
【００６７】
第２の代替的な解決策は、２つの回転子１８Ａ、１８Ｂがそれらの間で同一に構成され、各回転子の磁石が、図６の回転子１８と同様に星形構造によって支持されることを提供するが、２つの回転子のうちの一方または他方を作動させることによって磁気モジュールの各面を選択的かつ独立して作動させることを可能にするために、この場合、本体２５の交差平面内に延在する固定された中間磁気ヨーク（図示せず）を有することが必要である。
【００６８】
図７〜図８のモジュール１０を図２〜図６のモジュール１０と区別する特徴は、図２〜図６については、モジュールの両方の前部固着面が単一回転子１８の回転によって同時に作動および非作動するのに対し、図７および図８の場合は、モジュールの２つの前部固着面は、２つの回転子１８Ａ、１８Ｂを同時にまたは別々に回転させることによって、結合および別々に、同時にまたは別々に作動および非作動させることができるという点である。
【００６９】
したがって、磁気モジュール１０の作動および非作動は、極ピッチＰ、一方、他方、または両方の回転子１８Ａ、１８Ｂを再び回転させ、例えば、図３に示すタイプの適切に構成された工具３３を用いて、常に手動で作動させることによって行うことができる。
【００７０】
この場合、工具２３は、固定子１６の孔２１に軸方向に配置された第１の回転子１８Ａの対応する六角形の孔２２Ａと係合するように適合された六角形の形状を有する１つの第１の端部２３Ａを有するように構成されなければならず、工具２３はさらに、多角形の形状を有し、多角形の端部３０Ａよりも低い断面寸法を有する１つの第２の端部２３Ｂを有し、他方の回転子１８Ｂの対応する多角形の孔２２Ｂと係合するように適合された、すなわち、多角形の孔２２Ａ、２２Ｂと同時に係合するように構成されていなければならず、すなわち、両回転子１８Ａ、１８Ｂの対応する多角形の孔２２Ａおよび２２Ｂと同時に係合するように構成されている。
【００７１】
（機能）
図７および図８の磁気モジュール１０の機能モードは、図１３〜図１５の磁束線図を参照することによって説明することができる、ここで、
ａ）図１３は、２つの固定子１６、１７の磁石２９と、２つの回転子１８Ａ、１８Ｂの磁石３０とによって生成される磁束の経路を、モジュール１０内の複数の閉回路Ｆ１に沿って、モジュールの２つの面の非作動状態または完全に消磁された状態で示しており、磁石２９、３０の極性は、再びＮおよびＳによって示されている。この場合、各固定子１６、１７または固定磁心の各極性要素２６は、再び、その固定子の各極性要素２５に対して横方向の２つの磁石２９の同じ極性Ｎ、Ｓの極と接触し、一方、同じ極性要素２６は、回転子のそれぞれの磁石３０の以前のものと反対の極性Ｓ、Ｎの極と接触する。これは、非作動化状態で特定の極性要素２６に整列される。
【００７２】
ｂ）図１４は、２つの固定子１６、１７の磁石２９と、２つの回転子１８Ａ、１８Ｂの磁石３０とによって生成された磁束の経路を示し、この経路は、固定子１７に対するモジュール面１０の作動化または磁化状態において、閉回路Ｆ２、Ｆ’３に沿って、固定されるべき強磁性ワークピース１４を通り、固定子１７に対する回転子１８Ｂの極ピッチＰの回転によってのみ得られ、これにより、固定子１７の各極性要素２６は、同じ極性要素２６に面する磁石２９および３０の相同極Ｎ、Ｓによって分極され、対照的に、Ｆ’１は、固定子１６に対する他の固定面の非作動化または消磁状態において、モジュール１０の内側に閉じた磁気回路を示し、この状態は、回転子１８Ａを依然として図１３に示す状態に保つことによって得られる。この場合、強磁性ワークピース１４と同様に、固定子１７に対して、また回転子１８Ｂに対して、磁石２９および３０の直列において起磁力によって発生する磁束の合計を有することになる。
【００７３】
ｃ）図１５は、最後に、モジュール１０の両方の固定面の活性状態および完全に磁化された状態を示し、ここで、２つの回転子は、それらの間および２つの固定子に、単一のヨークまたは２つの回転子の強磁性ヨークによって、磁気的に連結され、この場合、２つの固定子１６、１７の磁石２９によって、および２つの回転子１８Ａ、１８Ｂの磁石３０によって生成される磁束は、磁気回路Ｆ２およびＦ３に沿って、ならびに固定されるべき強磁性ワークピース１３、１４を介して近接し、図１４の回路Ｆ２およびＦ’３について、または図１２の回路Ｆ３、Ｆ３について示される磁極の同じ配置および磁束の合計を維持する。
【００７４】
図１５の着磁条件は、１つのピッチＰの２つの回転子１８Ａ、１８Ｂを同時に回転させ、１つのピッチの回転子を次々に選択的に回転させることによって得ることができる。
【００７５】
また、図７および図９の場合、モジュール１０は、前述の回転子１８について図５で説明したものと同様に、予め設定された角度位置で２つの回転子１８Ａ、１８Ｂの回転を停止させるための適切な手段を備える。
【００７６】
図７および図８に示す場合、２つの回転子１８Ａ、１８Ｂは、図示するように、それらの間で磁気的に連結された強磁性ヨーク４１Ａ、４１Ｂと共に軸方向に接近される。
【００７７】
しかしながら、２つの回転子４１Ａ、４１Ｂがそれらの間に軸方向に間隔を置いて配置され、各回転子１８Ａ、１８Ｂが、それぞれの固定子１６、１７の軸方向孔２１に軸方向に整列された孔２２Ａ、２２Ｂを備えて再び構成され、前述のように、工具３０によって、その極ピッチＰの回転を別々にまたは一緒に制御する、図７、８の１つと同様の解決策が可能である。
【００７８】
この場合、図７、図８の例とは異なり、各回転子４１Ａ、４１Ｂは、他の回転子とは別個に作用して、２つまたはそれ以上のアセンブリ間の固定用磁気モジュール１０の作動状態および非作動状態における磁束の極性反転を引き起こす。
【００７９】
図２〜６および図７、８の例では、回転子１８、１８Ａおよび１８Ｂの制御は、固定子および回転子の軸方向に整列した適切な中央孔に挿入可能な図３の工具を用いて手動で行われるが、回転子は、特定の制御リングナットを介して作用することにより、別の方法で制御することができ、例えば、図４のものと同様の単一回転子磁気モジュールの場合は、図９に示すような単一のリングナットを用い、図７のものと同様の二重回転子磁気モジュールの場合は、図１０に示すような２つのリングナットを用いて、それぞれ制御することができる。
【００８０】
再び、図９および図１０において、類似または同等の部分を示すために、前の図の同じ参照番号が使用されている。
【００８１】
具体的には図９を参照すると、単一回転子１８を有するモジュール１０と相対的に、磁気モジュール１０の円筒状本体２５は、ピン４３によって回転子１８の星形構造のアーム３１の１つに接続された回転可能なリングナット４２を備えており、ピン４３は、回転子１８が完全消磁（ＤＥＭＡＧ）の第１の操作位置と、完全磁化（１００％ＭＡＧ）の第２の操作位置との間で、移動および回転可能であるように、角度的に実質的に極ピッチＰで延びる本体２５の円弧状スロット４４を通って放射状に突出し、制御ナットリング４２は、ロータの制御中心孔２１，２２と交互にまたは組み合わせて設けられ得る。
【００８２】
図１０は、図７、８の磁気モジュール１０の２つの回転子１８Ａ、１８Ｂに対する２つの独立した制御リングナット４２Ａ、４２Ｂの使用を対照的に示している。再び図１０では、前の図の同じ参照番号を使用して、類似または同等の部品を示している。各リングナット４２Ａ、４２Ｂは、図９に等しく、それぞれの円弧状スロットから突出するピンによってそれぞれの回転子に接続されている。
【００８３】
図７〜９、１３〜１５の前の例では、２つの回転子１８Ａおよび１８Ｂ、または一般に可動磁気ユニットを構成する２つの部品は、それぞれの固定子または固定磁気コアに面する磁気ヨークの側に配置された磁石で等しく構成され、さらに、可動磁気構造の２つの回転子または同等の部品は、それらの間にしっかりと接近し、磁気的に連結される。
【００８４】
さらなる代替解決策によれば、磁気回転子の１つは、ヨークを短絡させずに、図４、６の磁気回転子１８と同様に構成することができ、一方、磁気ヨークの他の１つは、磁束を短絡させるための磁気ヨークを含む、図７、８の回転子１８Ａ、１８Ｂの１つと同様に構成することができる。
【００８５】
さらなる代替解決策によれば、２つの磁気回転子１８Ａ、１８Ｂは、図４の磁気回転子１８と同様に、すなわち磁束を短絡させるためのヨークを有さずに構成することができ、この場合、２つの回転子の間の中間位置に固定磁気ヨークを設け、モジュール１０の外側ケーシング２５に固定される。
【００８６】
図１６〜１９は、固定子の厚さを減少させるのに適した、図２〜６および図７、８のうちの１つと同様の固定用磁気モジュールの別の解決策を示しており、その結果、固定子の周縁部に沿った磁束の損失を防止するのに適した、比較的高い固定用磁気力を維持しながら、同じ参照番号が再び使用されている以前の図は、類似または同等の部分を示す。
【００８７】
この点に関し、固定子の各極性要素に接する磁石表面は、回転子の単一磁石の表面に比例することが好ましい。いずれの場合も、一般に、回転子の各単一磁石によって生成される全磁束（すなわち、各単一磁石の磁束の強度に、磁石自体の単極面積を乗じたもの）は、固定子の同じ誘導極性要素と接触する磁石によって生成される全磁束に対応することが好ましいので、磁石の厚さまたは磁気長さが、設置される起磁力を決定することも考慮すると、限られた数の磁極、例えば、２つまたは４つの磁極を有する磁気モジュールを固定する場合、固定子の厚さ、したがって、それぞれの磁石の厚さを大幅に改善し、回転子の磁石間、または回転子の磁石間、および固定子の磁石間の表面をバランスさせることが必要であることが導き出される。
【００８８】
単一回転子を有するモジュールについての図１６〜１８、および二重回転子を有するモジュールについての図１９において、更なる周辺磁石４５が、固定子１６、１７の各極性要素２６と外側ケーシング２５との間に挿入され、２つの作動状態および非作動状態において、それぞれの単一極性要素２６が接触する磁石の極性間の適切な状態を常に保つ。
【００８９】
この解決策は、単一の回転子１８を有する磁気モジュール１０については図１６〜１８に、同様のまたは同等の部分を示すために、前の図の同じ参照番号および文字が再び使用された２つの回転子１８Ａ、１８Ｂを有する磁気モジュール１０については図１９に、概略的に示されている。
【００９０】
これらの２つの場合も同様に、図１７に磁石４５’について示されているように、各周辺磁石４５は、同じ極性要素に対して２つの横方向磁石２９の同じ極性Ｎ、Ｓで分極された、それぞれの誘起された極性要素２６の外縁と接触する面を有していなければならない。
【００９１】
しかしながら、この場合、短絡用の磁気ヨークを設ける必要がある。隣接する周辺磁石４５間の磁束、例えば、外側ケーシング２５は、強磁性材料で作ることができ、または、隣接する周辺磁石４５間の磁束を短絡させるためのヨークを形成するように構成された強磁性材料（図示せず）のインサートを有することができ；更に、平坦形状の周辺磁石４５が使用される場合には、磁気モジュールのハウジングケーシング２５の内面は、磁極の数に応じて、多角形形状、すなわち短絡させるための対応する平面表面によって区切られなければならない。
【００９２】
ここまで、モジュール自体の長手方向軸線に直交する、１つまたは２つの回転子の回転軸線に一致する、２つの平面または平坦な端面で区切られた２つのディスク形状の固定子を備える、固着磁気モジュールの円筒形状について説明した。したがって、磁気モジュールの２つの面を画定する固定磁気面は、２つの平行な面に従って延在する。しかしながら、モジュールの２つの表面の固定表面を一致させること、および／または異なる向きにすること、２つの固定子を適切に一致させることが可能である。例えば、磁気モジュールの２つの面の前部固着面は、再び、それらの間に任意の角度を形成する平面上に横たわる平面、または平坦面とすることができる。対照的に、モジュールの面のうちの１つまたは２つの固定面は、他の面と比較した場合、例えば、円弧、部分的に球形、多角形、または任意の他のタイプの、異なる形状であり、強磁性ピース、または固定されるアセンブリと同様に一致する表面に接触する。
【００９３】
前述の図の磁気回路の図に常に起因するさらなる実施形態によれば、磁気モジュール１０は、円筒形または多角形構成ではなく、直線構成を有することができ、固定および可動磁気コアは円形形状を有し、この場合、２つの固定磁気コアおよびスライダの形態の１つまたは２つの可動磁気コアは、図１１、１２、および図１２〜１５のモジュールについて説明した磁気構成と実質的に同様の方法で、固定および可動磁気コアのそれぞれの極の極性ＮおよびＳの交互構成を維持しながら、それらの間に平行に延在することになる。
【００９４】
この解決策は、細長い強磁性ピースまたはアセンブリを固定するための磁気モジュールが必要とされる場合、すなわち、モジュールの同じ面または両方の面に異なる位置に配置された複数の固定ゾーンを有することが必要とされる場合に有用であり、有利である。
【００９５】
（可能な用途）
記載されたタイプの固定用磁気モジュールは、アセンブリの外側から作用する任意のタイプのアセンブリを迅速に組み立て、分解することが要求される全ての用途に特に適している。
【００９６】
可能な用途の例は、家具、建築またはスタンドスペースの分野、取り外し可能に取り付けられるパネル、床、および仕切り壁の製造、ならびに任意の他の有用な用途に使用できる。
【００９７】
前述のように、本発明は、任意のタイプのアセンブリの別個の部品を分離可能に固定するために作動可能および非作動可能な、特定のタイプの固定磁気モジュールに関し、しかしながら、本発明の目的は、記載されたタイプの磁気モジュールによって固定することができる部品、または要素の任意のアセンブリ、ならびに同じタイプまたは異なるタイプの、本発明による１つまたは複数の固定磁気モジュールを備えるキットであり、例えば、キットは、単一回転子タイプ、２回転子タイプ、または同等の磁気ユニットの複数の磁気モジュールを備えることができ、すなわち、それは、２つまたはそれ以上の複数の磁気モジュール、または異なるタイプの同等の磁気ユニットを備えることができ、同一にまたは異なるように構成され、あるいはそれらの組合せを備えることができる。
【図１】
2021528129.tif 000003
【図２】
2021528129.tif 000004
【図３】
2021528129.tif 000005
【図４】
2021528129.tif 000006
【図５】
2021528129.tif 000007
【図６】
2021528129.tif 000008
【図７】
2021528129.tif 000009
【図８】
2021528129.tif 000010
【図９】
2021528129.tif 000011
【図１０】
2021528129.tif 000012
【図１１】
2021528129.tif 000013
【図１２】
2021528129.tif 000014
【図１３】
2021528129.tif 000015
【図１４】
2021528129.tif 000016
【図１５】
2021528129.tif 000017
【図１６】
2021528129.tif 000018
【図１７】
2021528129.tif 000019
【図１８】
2021528129.tif 000020
【図１９】
2021528129.tif 000021
【国際調査報告】
2021528129.tif 000022
2021528129.tif 000023